(57)【特許請求の範囲】
【請求項１】
電池をその中に保持するための、該電池が第１の側面と該第１の側面に対向する第２の側面とを有する、電池キャリアであって、
前記電池の前記第１の側面の少なくとも一部分と接触するように構成された捕捉部材であって、その中を貫通する少なくとも１つの開口を有し、そこに空気を通して前記電池の前記第１の側面と接触させ、前記電池を冷却する、捕捉部材と、
前記電池の前記第２の側面の少なくとも一部分と接触するように構成されたパネル部材であって、前記電池が前記パネル部材と前記捕捉部材の間に保持されるように、前記捕捉部材の一部分に係合するように更に構成され、その中を貫通する少なくとも１つの開口を有し、そこに空気を通して前記電池の前記第２の側面と接触させ、前記電池を冷却する、パネル部材と、
を備え、
前記捕捉部材が、ガスケットをその中に受け入れるように構成された溝を画定する周辺壁を有し、前記パネル部材が前記捕捉部材に係合するとき、該ガスケットが、前記電池と接触するように、少なくとも部分的に前記溝内に配置された電池キャリア。
【請求項２】
前記捕捉部材が周辺壁を有し、該周辺壁が、前記捕捉部材の第１の端部でその中を貫通する第１のスロットと、前記捕捉部材の第２の端部でその中を貫通する第２のスロットとを有し、該第１及び第２のスロットがそれぞれ、その中を通って前記電池の第１及び第２の端子を受け入れるように構成された請求項１に記載の電池キャリア。
【請求項３】
前記捕捉部材が周辺壁を有し、該周辺壁が、その中を貫通する通気開口を有し、前記電池から漏れるあらゆる気体を排出する請求項１に記載の電池キャリア。
【請求項４】
第１の捕捉部材及び第１のパネル部材を備える第１の電池キャリアと、第２の捕捉部材及び第２のパネル部材を備える第２の電池キャリアとを有し、第１及び第２の電池をその中に保持する電池キャリア組立体であって、
前記第１の電池キャリアの前記第１の捕捉部材が、前記第１の電池の第１の側面の少なくとも一部分と接触するように構成され、前記第１の捕捉部材が、その中を貫通する少なくとも１つの開口を有し、そこに空気を通して前記第１の電池の前記第１の側面と接触させ、前記第１の電池を冷却し、前記第１のパネル部材が、前記第１の側面に対向する前記第１の電池の第２の側面の少なくとも一部分と接触するように構成され、前記第１のパネル部材が更に、前記第１の電池が前記第１のパネル部材と前記第１の捕捉部材の間で保持されるように、前記第１の捕捉部材の一部分に係合するように構成され、前記第１のパネル部材が、その中を貫通する少なくとも１つの開口を有し、そこに空気を通して前記第１の電池の前記第２の側面と接触させ、前記第１の電池を冷却し、
前記第２の電池キャリアの前記第２の捕捉部材が、前記第１の電池キャリアの前記第１のパネル部材に係合するように構成され、前記第２の捕捉部材が更に、前記第２の電池の第３の側面の少なくとも一部分と接触するように構成され、前記第２の捕捉部材が、その中を貫通する少なくとも１つの開口を有し、そこに空気を通して前記第２の電池の前記第３の側面と接触させ、前記第２のパネル部材が、前記第３の側面に対向する前記第２の電池の第４の側面の少なくとも一部分と接触するように構成され、前記第２のパネル部材が更に、前記第２の電池が前記第２のパネル部材と前記第２の捕捉部材の間で保持されるように、前記第２の捕捉部材の一部分に係合するように構成され、前記第２のパネル部材が、その中を貫通する少なくとも１つの開口を有し、そこに空気を通して前記第２の電池の前記第４の側面と接触させ、前記第２の電池を冷却し、
前記第１の捕捉部材が、ガスケットをその中に受け入れるように構成された溝を画定する周辺壁を有し、前記第１のパネル部材が前記第１の捕捉部材に係合するとき、該ガスケットが、前記電池と接触するように、少なくとも部分的に前記溝内に配置された電池キャリア組立体。
【請求項５】
前記第１の捕捉部材が周辺壁を有し、該周辺壁が、前記第１の捕捉部材の第１の端部でその中を貫通する第１のスロットと、前記第１の捕捉部材の第２の端部でその中を貫通する第２のスロットとを有し、該第１及び第２のスロットがそれぞれ、その中を通って前記第１の電池の第１及び第２の端子を受け入れるように構成された請求項４に記載の電池キャリア組立体。
【請求項６】
前記第１の捕捉部材が周辺壁を有し、該周辺壁が、その中を貫通する通気開口を有し、前記第１の電池から漏れるあらゆる気体を排出する請求項４に記載の電池キャリア組立体。
【請求項７】
請求項１に記載の電池キャリアに電池を組み込む方法であって、該電池キャリアが捕捉部材及びパネル部材を備え、前記方法が、
該捕捉部材上に前記電池を配置する段階と、
前記電池が前記パネル部材と前記捕捉部材の間で保持されるように該捕捉部材上に該パネル部材を配置する段階と、
を含む方法。
【請求項８】
前記捕捉部材を前記パネル部材に固定して結合させる段階を更に含む請求項７に記載の方法。
【請求項９】
請求項４に記載の第１及び第２の電池をその中に保持する電池キャリア組立体を組み立てる方法であって、該電池キャリア組立体が、第１の捕捉部材及び第１のパネル部材を備える第１の電池キャリアと、第２の捕捉部材及び第２のパネル部材を備える第２の電池キャリアとを有し、前記方法が、
前記第１の捕捉部材上に前記第１の電池を配置する段階と、
前記第１の電池が前記第１のパネル部材と前記第１の捕捉部材の間で保持されるように該第１の捕捉部材上に該第１のパネル部材を配置して、第１の電池キャリアに電池を組み込む段階と、
前記第２の捕捉部材上に前記第２の電池を配置する段階と、
前記第２の電池が前記第２のパネル部材と前記第２の捕捉部材の間で保持されるように該第２の捕捉部材上に該第２のパネル部材を配置して、第２の電池キャリアに電池を組み込む段階と、
前記第１の電池キャリアを前記第２の電池キャリア上に配置して、前記電池キャリア組立体を形成する段階と、
を含む方法。
【発明の詳細な説明】
【技術分野】
【０００１】
本発明は、電池（battery cell）をその中に保持するための電池キャリアに関し、より詳細には、第１の側面と第１の側面に対向する第２の側面とを有する電池をその中に保持するための電池キャリアに関し、この電池キャリアは、電池の第１の側面の少なくとも一部分と接触するように構成された捕捉部材であって、その中を貫通する少なくとも１つの開口を有し、そこに空気を通して電池の第１の側面と接触させ、電池を冷却する、捕捉部材と、電池の第２の側面の少なくとも一部分と接触するように構成されたパネル部材であって、電池がパネル部材と捕捉部材の間で保持されるように、捕捉部材の一部分に係合するように更に構成され、その中を貫通する少なくとも１つの開口を有し、そこに空気を通して電池の第２の側面と接触させ、電池を冷却する、パネル部材とを含む。
【背景技術】
【０００２】
電池を保持するための装置が開発されてきた。しかし、この装置は、そこに空気を通して電池を冷却させる開口をもたない。従って、電池によって生成される熱は、望み通りに放散できず、次第に電池を劣化させる恐れがある。
【発明の開示】
【発明が解決しようとする課題】
【０００３】
従って、本願の本発明者らは、そこに空気を通して電池を冷却させるように構成された電池キャリア組立体（battery cell carrier assembly）の必要性を認識してきた。
【課題を解決するための手段】
【０００４】
従って、本発明は、上記の問題、及びまだ解決されていない他の技術上の問題を解決するために行われた。
【０００５】
具体的には、本発明の目的は、冷却効率を改善するための特定の構造の電池キャリア、それを収容する電池キャリア組立体、及び電池キャリアを組み立てる方法を提供することである。
【０００６】
例示的な一実施形態によれば、電池をその中に保持するための電池キャリアが提供される。電池は、第１の側面と、第１の側面に対向する第２の側面とを有する。電池キャリアは、電池の第１の側面の少なくとも一部分と接触するように構成された捕捉部材を含む。捕捉部材は、その中を貫通する少なくとも１つの開口を有し、そこに空気を通して電池の第１の側面と接触させ、電池を冷却する。電池キャリアは、電池の第２の側面の少なくとも一部分と接触するように構成されたパネル部材を更に含む。パネル部材は更に、電池がパネル部材と捕捉部材の間に保持されるように、捕捉部材の一部分に係合するように構成される。パネル部材は、その中を貫通する少なくとも１つの開口を有し、そこに空気を通して電池の第２の側面と接触させ、電池を冷却する。
【０００７】
別の例示的な実施形態によれば、第１及び第２の電池をその中に保持するための電池キャリア組立体が提供される。電池キャリア組立体は、第１の捕捉部材及び第１のパネル部材を有する第１の電池キャリアを含む。第１の捕捉部材は、第１の電池の第１の側面の少なくとも一部分と接触するように構成される。第１の捕捉部材は、その中を貫通する少なくとも１つの開口を有し、そこに空気を通して第１の電池の第１の側面と接触させ、第１の電池を冷却する。第１のパネル部材は、第１の側面に対向する第１の電池の第２の側面の少なくとも一部分と接触するように構成される。第１のパネル部材は更に、第１の電池が第１のパネル部材と第１の捕捉部材の間に保持されるように、第１の捕捉部材の一部分に係合するように構成される。第１のパネル部材は、その中を貫通する少なくとも１つの開口を有し、そこに空気を通して第１の電池の第２の側面と接触させ、第１の電池を冷却する。電池キャリア組立体は、第２の捕捉部材及び第２のパネル部材を有する第２の電池キャリアを更に含む。第２の捕捉部材は、第１の電池キャリアの第１のパネル部材に係合するように構成される。第２の捕捉部材は更に、第２の電池の第３の側面の少なくとも一部分と接触するように構成される。第２の捕捉部材は、その中を貫通する少なくとも１つの開口を有し、そこに空気を通して第２の電池の第３の側面と接触させる。第２のパネル部材は、第３の側面に対向する第２の電池の第４の側面の少なくとも一部分と接触するように構成される。第２のパネル部材は更に、第２の電池が第２のパネル部材と第２の捕捉部材の間に保持されるように、第２の捕捉部材の一部分に係合するように構成される。第２のパネル部材は、その中を貫通する少なくとも１つの開口を有し、そこに空気を通して第２の電池の第４の側面と接触させ、第２の電池を冷却する。
【０００８】
別の例示的な実施形態によれば、電池をその中に保持するための電池キャリアを組み立てる方法が提供される。電池キャリアは、捕捉部材及びパネル部材を含む。この方法は、捕捉部材上に電池を配置する段階を含む。捕捉部材は、その中を貫通する少なくとも１つの開口を有し、空気を電池の第１の側面と接触させ、電池を冷却する。この方法は、電池がパネル部材と捕捉部材の間で保持されるように、捕捉部材上にパネル部材を配置する段階を更に含む。パネル部材は、その中を貫通する少なくとも１つの開口を有し、空気を電池の第２の側面と接触させ、電池を冷却する。
【０００９】
別の例示的な実施形態によれば、第１及び第２の電池をその中に保持するための電池キャリア組立体を組み立てる方法が提供される。電池キャリア組立体は、第１の捕捉部材及び第１のパネル部材を備える第１の電池キャリアと、第２の捕捉部材及び第２のパネル部材を備える第２の電池キャリアとを有する。この方法は、第１の捕捉部材上に第１の電池を配置する段階を含む。第１の捕捉部材は、その中を貫通する少なくとも１つの開口を有し、空気を第１の電池の第１の側面と接触させて、第１の電池を冷却する。この方法は、第１の電池が第１のパネル部材と第１の捕捉部材の間で保持されるように、第１の捕捉部材上に第１のパネル部材を配置して、第１の電池キャリアを形成する段階を更に含む。第１のパネル部材は、その中を貫通する少なくとも１つの開口を有し、空気を第１の電池の第２の側面と接触させて、第１の電池を冷却する。この方法は、第２の捕捉部材上に第２の電池を配置する段階を更に含む。第２の捕捉部材は、その中を貫通する少なくとも１つの開口を有し、空気を第２の電池の第３の側面と接触させて、第２の電池を冷却する。この方法は、第２の電池が第２のパネル部材と第２の捕捉部材の間で保持されるように、第２の捕捉部材上に第２のパネル部材を配置して、第２の電池キャリアを形成する段階を更に含む。第２のパネル部材は、その中を貫通する少なくとも１つの開口を有し、空気を第２の電池の第４の側面と接触させて、第２の電池を冷却する。この方法は、第１の電池キャリアを第２の電池キャリア上に配置して、電池キャリア組立体を形成する段階を更に含む。
【発明を実施するための最良の形態】
【００１０】
次に、本発明の好ましい実施形態について、添付の図面を参照して詳細に説明する。しかし、本発明の範囲は、図示の実施形態によって限定されるものではないことに留意されたい。
【００１１】
図１及び図２を参照すると、電池キャリア組立体１０を示す。電池キャリア組立体１０は、電池キャリア１２、１４、１６と、エンドキャップ部材１８、２０とを含む。電池キャリア１２、１４、１６の利点は、キャリアが開口を含み、そこに空気を通して、キャリア内で保持される電池を冷却するということである。
【００１２】
図３を参照すると、電池キャリア１２は、電池４４をその中に保持するように設けられる。電池キャリア１２は、捕捉部材４０と、ガスケット４２と、パネル部材４６とを含む。図示のように、電池４４は、捕捉部材４０とパネル部材４６の間に配置される。
【００１３】
図４〜図７を参照すると、捕捉部材４０は、電池４４の第１の側面の少なくとも一部分と接触するように構成される。捕捉部材４０は、周辺壁７０と、横材７８、８０、８２、８４、８６、８８と、位置決めタブ９０、９２、９４、９６とを含む。例示的な一実施形態では、捕捉部材４０は、プラスチックで構成される。
【００１４】
周辺壁７０は、おおむね長方形の環状であり、その上に電池４４を受け入れるのに十分な寸法の周辺部を有する。周辺壁７０は、溝１０２を画定する壁部分１００を含み、その中にガスケット４２を受け入れる。例示的な一実施形態では、ガスケット４２は、周辺壁７０に一体化して形成される。周辺壁７０は、壁部分１００から上方に突出する係合部分１０４を更に含む。係合部分１０４は、パネル部材４６の溝２０４に係合して、捕捉部材４０をパネル部材４６に結合させるように設けられる。図４及び図１１を参照すると、周辺壁７０は、その中に形成された溝１３０、１３２を更に含み、それぞれ電池キャリア１４のパネル部材２４６の掛け金部材２５７、２５８を受け入れて、捕捉部材４０をパネル部材２４６と結合させる。周辺壁７０は、その中を貫通するスロット１２６、１２８を更に含み、そこを通って電池４４の電気端子１４４、１４６を受け入れる。
【００１５】
再び図４を参照すると、横材７８、８０、８２、８４、８６、８８は、その上に電池４４を支持するように設けられる。横材７８、８０、８２、８４、８６、８８は、周辺壁７０によって画定される内側領域８９を横切って横方向に延び、周辺壁７０に結合される。横材７８、８０、８２、８４、８６、８８は、互いに離れて配置され、かつ互いにおおむね平行である。横材７８、８０、８２、８４、８６、８８は、複数の開口１１０、１１２、１１４、１１６、１１８、１２０、１２２を画定し、そこに空気を通して、捕捉部材４０上に配置された電池４４を冷却する。
【００１６】
位置決めタブ９０、９２、９４、９６は、捕捉部材４０を電池キャリア１４に対して所望の位置で位置決めするように設けられる。具体的には、位置決めタブ９０、９２、９４、９６は、捕捉部材４０の底面９７から延びる。図７及び図１１を参照すると、位置決めタブ９０、９２、９４、９６はそれぞれ、電池キャリア１４のパネル部材２４６の関連するタブ２５０、２５２、２５４、２５６に隣接して（例えば、並んで）配置されるように底面９７上に位置決めされて、捕捉部材４０をパネル部材２４６に対して位置決めする。位置決めタブ９０、９２、９４、９６が任意選択であり、代替実施形態では、捕捉部材４０が位置決めタブ９０、９２、９４、９６をもたないことに留意されたい。
【００１７】
図４〜図６を参照すると、ガスケット４２は、電池４４の外側リップ１４２に係合して、電池４４を捕捉部材４０に接触させてしっかりと保持するように設けられる。ガスケット４２は、ゴム化合物または同様に可撓性の化合物で構成され、おおむね長方形の環状である。ガスケット４２は、周辺壁７０の溝１０２内に配置される。ガスケット４２の一部分は、周辺壁７０内に形成される通気開口１２４において除去される。
【００１８】
図３を参照すると、電池４４は、動作電圧を生成するように設けられる。電池４４は、本体部分１４０と、周辺リップ部分１４２と、電気端子１４４、１４６とを含む。本体部分１４０は、電圧セルをその中に含む。本体部分１４０の周囲に延びる周辺リップ部分１４２は、電池キャリア１２内に電池４４を保持するために使用される。電気端子１４４、１４６は、本体部分１４０内の電池から延びる。
【００１９】
図８〜図１０を参照すると、パネル部材４６は、電池４４の第２の側面の少なくとも一部分と接触するように構成される。パネル部材４６は、周辺壁１６０と、横材１６２、１６４、１６６、１６８、１７０、１７２、１７４と、位置決めタブ１８０、１８２、１８４、１８６と、掛け金部材１８８、１９０とを含む。例示的な一実施形態では、パネル部材４６は、プラスチックで構成される。
【００２０】
図５、図８、及び図１２を参照すると、周辺壁１６０は、おおむね長方形の環状であり、その上に電池４４を受け入れるのに十分な寸法の周辺部を有する。周辺壁１６０は、ガスケット４２を圧縮して溝１０２内に入れる壁部分２００を含む。周辺壁１６０は、捕捉部材４０の周辺壁７０の係合部分１０４をその中に受け入れるように構成された溝２０４を更に含む。周辺壁１６０は、壁部分２００から下方へ延びかつ捕捉部材４０の周辺壁７０の外側周辺部を取り囲む外側延長部分（outer extension portion）２０２を更に含む。周辺壁１６０は、パネル部材４６の通気開口１２４に隣接して配置された通気開口２２２を更に含み、電池４４からのあらゆる漏れ気体を電池キャリア１２から排出させる。
【００２１】
再び図８を参照すると、横材１６２、１６４、１６６、１６８、１７０、１７２、１７４は、その上に電池４４を支持するように設けられる。横材１６２、１６４、１６６、１６８、１７０、１７２、１７４は、周辺壁１６０によって画定される内側領域１７５を横切って横方向に延び、周辺壁１６０に結合される。横材１６２、１６４、１６６、１６８、１７０、１７２、１７４は、互いに離れて配置され、かつ互いにおおむね平行である。横材１６２、１６４、１６６、１６８、１７０、１７２、１７４は、複数の開口２１０、２１２、２１４、２１６、２１８、２２０を画定し、そこに空気を通して、パネル部材４６に接触させて配置された電池４４を冷却する。
【００２２】
図８及び図１５を参照すると、位置決めタブ１８０、１８２、１８４、１８６は、パネル部材４６をエンドキャップ部材２０に対して所望の位置で位置決めするように設けられる。具体的には、位置決めタブ１８０、１８２、１８４、１８６は、パネル部材４６の上面１８７から延びる。位置決めタブ１８０、１８２、１８４、１８６は、エンドキャップ部材２０の関連するタブ３８０、３８２、３８４、３８６に隣接して配置されるように上面１８７に位置決めされて、パネル部材４６をエンドキャップ部材２０に対して位置決めする。位置決めタブ１８０、１８２、１８４、１８６が任意選択であり、代替実施形態では、パネル部材４６が位置決めタブ１８０、１８２、１８４、１８６をもたないことに留意されたい。
【００２３】
掛け金部材１８８、１９０は、パネル部材４６をエンドキャップ部材２０に結合させるように設けられる。掛け金部材１８８、１９０は、パネル部材４６の上面１８７から延びる。掛け金部材１８８、１９０は、エンドキャップ部材２０の開口３９０、３９２内に受け入れられるように上面１８７に位置決めされて、パネル部材４６をエンドキャップ部材２０に結合させる。パネル部材４６は更に、パネル部材４６を捕捉部材４０に超音波溶接することによって捕捉部材４０に結合できることに留意されたい。その上、パネル部材４６は更に、パネル部材４６をエンドキャップ部材２０に超音波溶接することによってエンドキャップ部材２０に結合することができる。掛け金部材１８８、１９０が任意選択であり、代替実施形態では、パネル部材４６が掛け金部材１８８、１９０をもたないことに留意されたい。
【００２４】
図１１を参照すると、電池キャリア１４は、電池２４４をその中に保持するように設けられる。電池キャリア１４は、捕捉部材２４０と、ガスケット２４２と、パネル部材２４６とを含む。
【００２５】
捕捉部材２４０は、電池２４４の第１の側面の少なくとも一部分と接触するように構成される。捕捉部材２４０は、前述の捕捉部材４０と同一の構造を有する。
【００２６】
ガスケット２４２は、電池２４４の外側リップに係合して、電池２４４を捕捉部材２４０に接触させてしっかりと保持するように設けられる。ガスケット２４２は、前述のガスケット４２と同一の構造を有する。
【００２７】
電池２４４は、電気端子２６０、２６２で動作電圧を生成するように設けられる。電池２４４は、前述の電池４４と同一の構造を有する。
【００２８】
パネル部材２４６は、電池２４４の第２の側面の少なくとも一部分と接触するように構成される。パネル部材２４６は、前述のパネル部材４６と同一の構造を有する。図７及び図１１を参照すると、パネル部材２４６は、電池キャリア１２の捕捉部材４０の位置決めタブ９０、９２、９４、９６にそれぞれ隣接して（例えば、並んで）位置決めされて、パネル部材２４６を電池キャリア１２に対して位置決めする任意選択の位置決めタブ２５０、２５２、２５４、２５６を含む。更にパネル部材２４６は、捕捉部材４０の溝１３０、１３２に係合するように位置決めされて、パネル部材２４６を捕捉部材４０に結合させる掛け金部材２５７、２５８を含む。パネル部材２４６は更に、前述のパネル部材４６を捕捉部材４０に結合させる手法と実質的に同様の形で捕捉部材２４０に結合されることに留意されたい。
【００２９】
図１２を参照すると、電池キャリア１６は、電池２８４をその中に保持するように設けられる。電池キャリア１６は、捕捉部材２８０と、ガスケット２８２と、パネル部材２８６とを含む。
【００３０】
捕捉部材２８０は、電池２８４の第１の側面の少なくとも一部分と接触するように構成される。捕捉部材２８０は、前述の捕捉部材４０と同一の構造を有する。
【００３１】
ガスケット２８２は、電池２８４の外側リップに係合して、電池２８４を捕捉部材２８０に接触させてしっかりと保持するように設けられる。ガスケット２８２は、前述のガスケット４２と同一の構造を有する。
【００３２】
電池２８４は、電気端子２９０、２９２で動作電圧を生成するように設けられる。電池２８４は、前述の電池４４と同一の構造を有する。
【００３３】
パネル部材２８６は、電池２８４の第２の側面の少なくとも一部分と接触するように構成される。パネル部材２８６は、前述のパネル部材４６と同一の構造を有する。パネル部材２８６は、電池キャリア１４の捕捉部材２８０の位置決めタブに隣接するように位置決めされて、パネル部材２８６を電池キャリア１４に対して位置決めする位置決めタブ３００、３０１、３０２、３０３を含む。更に、パネル部材２８６は、捕捉部材２４０の溝に係合するように位置決めされて、パネル部材２８６を捕捉部材２４０に結合させる掛け金部材３０４、３０５を含む。パネル部材２８６は更に、前述のパネル部材４６を捕捉部材４０に結合させる手法と実質的に同様の形で捕捉部材２８０に結合されることに留意されたい。
【００３４】
図１３及び図１４を参照すると、エンドキャップ部材１８は、電池キャリア１６に結合するように構成される。エンドキャップ部材１８は、平板部材３１０と、横材３１２、３１４、３１６、３１８、３２０、３２２、３２４と、位置決めタブ３３０、３３２、３３４、３３６と、掛け金部材３３８、３４０とを含む。例示的な一実施形態では、エンドキャップ部材１８は、プラスチックで構成される。
【００３５】
平板部材３１０は、略長方形であり、捕捉部材２８０の外側周辺部と実質的に同じ寸法の外側周辺部を有する。
【００３６】
横材３１２、３１４、３１６、３１８、３２０、３２２、３２４は、その上に捕捉部材２８０を支持するように設けられる。横材３１２、３１４、３１６、３１８、３２０、３２２、３２４は、平板部材３１０上で横方向に延び、互いに離れて配置され、かつ互いにおおむね平行である。
【００３７】
図１２及び図１３を参照すると、位置決めタブ３３０、３３２、３３４、３３６は、エンドキャップ部材１８を捕捉部材２８０に対して所望の位置で位置決めするように設けられる。具体的には、位置決めタブ３３０、３３２、３３４、３３６は、エンドキャップ部材１８の上面３３７から延びる。位置決めタブ３３０、３３２、３３４、３３６は、捕捉部材２８０の底面の関連するタブに隣接して配置されるように上面３３７に位置決めされて、エンドキャップ部材１８を捕捉部材２８０に対して位置決めする。
【００３８】
掛け金部材３３８、３４０は、上面３３７から延び、捕捉部材２８０の溝に係合するように位置決めされて、エンドキャップ部材１８を捕捉部材２８０に結合させる。
【００３９】
図１５及び図１６を参照すると、エンドキャップ部材２０は、電池キャリア１２に結合するように構成される。エンドキャップ部材２０は、平板部材３６０と、横材３６２、３６４、３６６、３６８、３７０、３７２と、位置決めタブ３８０、３８２、３８４、３８６とを含む。例示的な一実施形態では、エンドキャップ部材２０は、プラスチックで構成される。
【００４０】
平板部材３６０は、略長方形であり、パネル部材４６の外側周辺部と実質的に同じ寸法の外側周辺部を有する。平板部材３６０は、その中を貫通する開口３９０、３９２を含み、パネル部材４６の掛け金部材１８８、１９０を受け入れて、平板部材３６２をパネル部材４６に結合させる。
【００４１】
横材３６２、３６４、３６６、３６８、３７０、３７２は、その上にパネル部材４６を支持するように設けられる。横材３６２、３６４、３６６、３６８、３７０、３７２は、平板部材３６０上で横方向に延び、互いに離れて配置され、かつ互いにおおむね平行である。
【００４２】
図３及び図１５を参照すると、位置決めタブ３８０、３８２、３８４、３８６は、エンドキャップ部材２０をパネル部材４６に対して所望の位置で位置決めするように設けられる。具体的には、位置決めタブ３８０、３８２、３８４、３８６は、エンドキャップ部材２０の底面３８７から延びる。位置決めタブ３８０、３８２、３８４、３８６は、パネル部材４６上の関連する位置決めタブ１８０、１８２、１８４、１８６に隣接して（例えば、並んで）配置されるように底面３８７に位置決めされて、エンドキャップ部材２０をパネル部材４６に対して位置決めする。
【００４３】
図１７及び図１８を参照すると、電池キャリア組立体１０を組み立てる方法の流れ図について、次に説明する。
【００４４】
段階４１０で、電池４４は、捕捉部材４０が電池４４の第１の側面の少なくとも一部分と接触するように、捕捉部材４０上に配置される。捕捉部材４０は、捕捉部材４０の溝１０２内に配置されたガスケット４２を有する。ガスケット４２は、電池４４の外側周辺部と接触する。捕捉部材４０は、その中を貫通する開口を有し、そこに空気を通して電池４４の第１の側面と接触させて、電池４４を冷却する。
【００４５】
段階４１２で、パネル部材４６は、電池４４がパネル部材４６と捕捉部材４０の間で保持されるように捕捉部材４０上に配置されて、電池キャリア１２を形成する。電池４４の端子１４４、１４６はそれぞれ、捕捉部材４０のスロット１２６、１２８を貫通する。パネル部材４６は、その中を貫通する開口を有し、空気を電池４４と接触させて、電池４４を冷却する。
【００４６】
段階４１４で、電池２４４は、捕捉部材２４０が電池２４４の側面の少なくとも一部分と接触するように捕捉部材２４０上に配置される。捕捉部材２４０は、捕捉部材２４０の溝内に配置されたガスケット２４２を有する。ガスケット２４２は、電池２４４の外側周辺部と接触する。捕捉部材２４０は、その中を貫通する開口を有し、そこに空気を通して電池２４４の側面と接触させて、電池２４４を冷却する。
【００４７】
段階４１６で、パネル部材２４６は、電池２４４がパネル部材２４６と捕捉部材２４０の間で保持されるように捕捉部材２４０上に配置されて、電池キャリア１４を形成する。電池２４４の端子２６０、２６２は、捕捉部材２４０のスロットを貫通する。パネル部材２４６は、その中を貫通する開口を有し、空気を電池２４４と接触させて、電池２４４を冷却する。
【００４８】
段階４１８で、電池２８４は、捕捉部材２８０が電池２８４の少なくとも一部分と接触するように捕捉部材２８０上に配置される。捕捉部材２８０は、捕捉部材２８０の溝内に配置されたガスケット２８２を有する。ガスケット２８２は、電池２８４の外側周辺部と接触する。捕捉部材２８０は、その中を貫通する開口を有し、そこに空気を通して電池２８４と接触させて、電池２８４を冷却する。
【００４９】
段階４２０で、パネル部材２８６は、電池２８４がパネル部材２８６と捕捉部材２８０の間で保持されるように捕捉部材２８０上に配置されて、電池キャリア１６を形成する。電池２８４の端子２９０、２９２は、捕捉部材２８０のスロットを貫通する。パネル部材２８６は、その中を貫通する開口を有し、空気を電池２８４と接触させて、電池２８４を冷却する。
【００５０】
段階４２２で、エンドキャップ部材２０は、電池キャリア１２の捕捉部材４０上に配置される。
【００５１】
段階４２４で、電池キャリア１２は、電池キャリア１４のパネル部材２４６上に配置される。
【００５２】
段階４２６で、電池キャリア１４は、電池キャリア１６のパネル部材２８６上に配置される。
【００５３】
段階４２８で、電池キャリア１６の捕捉部材２８０は、エンドキャップ部材１８上に配置される。
【００５４】
段階４３０で、エンドキャップ部材２０は、電池キャリア１２に固定して結合される。例示的な一実施形態では、エンドキャップ部材２０は、電池キャリア１２に超音波溶接される。
【００５５】
段階４３２で、電池キャリア１２は、電池キャリア１４に固定して結合される。例示的な一実施形態では、電池キャリア１２は、電池キャリア１４に超音波溶接される。
【００５６】
段階４３４で、電池キャリア１４は、電池キャリア１６に固定して結合される。例示的な一実施形態では、電池キャリア１４は、電池キャリア１６に超音波溶接される。
【００５７】
段階４３６で、エンドキャップ部材１８は、電池キャリア１６に固定して結合される。例示的な一実施形態では、エンドキャップ部材１８は、電池キャリア１６に超音波溶接される。
【００５８】
電池キャリア組立体１０が電池キャリア１２、１４、１６を有するということは、他の組立体に比べて相当な利点である。特に、電池キャリア１２、１４、１６は、電池をその中に保持しつつ、開口を提供して空気に電池を冷却させるという技術的効果を提供する。従って、電池の温度は、閾値温度未満に維持されて、電池が過剰な熱によって劣化するのを防止することができる。
【００５９】
本発明について、例示的な実施形態に関して説明してきたが、本発明の範囲から逸脱することなく、様々な変更を加えることができ、またその要素の代わりに等価物を使用できることが、当業者には理解されるであろう。加えて、本発明の不可欠な範囲から逸脱することなく、特定の状況または材料を本発明の教示に適合させるために、多くの修正形態を加えることができる。従って、本発明は、この発明を実施するために開示された特定の実施形態に限定されるものではなく、添付の特許請求の範囲の範囲内に包含されるすべての実施形態を含むものである。更に、第１、第２などの用語の使用は、１つの要素を別の要素と識別するために使用される。更に、ａ、ａｎなどの用語の使用は、数量の制限を示すものではなく、参照された項目のうちの少なくとも１つが存在することを示す。
【産業上の利用可能性】
【００６０】
上の説明から明らかなように、本発明による電池キャリアは、その中を貫通する少なくとも１つの開口を有し、そこに空気を通して電池の第１の側面及び第２の側面と接触させ、電池を冷却するように構成された、捕捉部材及びパネル部材を含むので、電池の冷却効率を改善する効果を有する。
【００６１】
添付の特許請求の範囲に開示される本発明の範囲及び精神から逸脱することなく、様々な修正形態、追加、及び置換えが可能であることが、当業者には理解されるであろう。
【図面の簡単な説明】
【００６２】
【図１】例示的な一実施形態による、第１、第２、及び第３の電池キャリアと、第１及び第２のエンドキャップ部材とを有する電池キャリア組立体の概略図である。
【図２】図１の電池キャリア組立体の第１、第２、及び第３の電池キャリアの分解概略図である。
【図３】別の例示的な実施形態による、捕捉部材及びパネル部材を有する図１の第１の電池キャリアの分解概略図である。
【図４】図３の第１の電池キャリアの捕捉部材の第１の側面の概略図である。
【図５】図１の第１の電池キャリアの一部分の横断面概略図である。
【図６】図３の第１の電池キャリアの捕捉部材の一部分の概略図である。
【図７】図３の第１の電池キャリアの捕捉部材の第２の側面の概略図である。
【図８】図３の第１の電池キャリアのパネル部材の第１の側面の概略図である。
【図９】図３の第１の電池キャリアのパネル部材の第２の側面の概略図である。
【図１０】図３の第１の電池キャリアの横断面概略図である。
【図１１】捕捉部材及びパネル部材を有する図１の第２の電池キャリアの分解概略図である。
【図１２】捕捉部材及びパネル部材を有する図１の第３の電池キャリアの分解概略図である。
【図１３】図１の電池キャリア組立体の第１のエンドキャップ部材の第１の側面の概略図である。
【図１４】図１の電池キャリア組立体の第１のエンドキャップ部材の第２の側面の概略図である。
【図１５】図１の電池キャリア組立体の第２のエンドキャップ部材の第１の側面の概略図である。
【図１６】図１の電池キャリア組立体の第２のエンドキャップ部材の第２の側面の概略図である。
【図１７】別の例示的な実施形態による、図１の電池キャリア組立体を組み立てる方法の流れ図である。
【図１８】別の例示的な実施形態による、図１の電池キャリア組立体を組み立てる方法の流れ図である。
【符号の説明】
【００６３】
１０  電池キャリア組立体
１２，１４，１６  電池キャリア
１８，２０  エンドキャップ部材
４０，２４０，２８０  捕捉部材
４２，２４２，２８２  ガスケット
４４，２４４，２８４  電池
４６，２４６，２８６  パネル部材
７０，１６０  周辺壁
７８，８０，８２，８４，８６，８８，１６２，１６４，１６６，１６８，１７０，１７２，１７４，３１２，３１４，３１６，３１８，３２０，３２２，３２４，３６２，３６４，３６６，３６８，３７０，３７２  横材
８９，１７５  内側領域
９０，９２，９４，９６，１８０，１８２，１８４，１８６，２５０，２５２，２５４，２５６，３００，３０１，３０２，３０３，３３０，３３２，３３４，３３６，３８０，３８２，３８４，３８６  位置決めタブ
９７，３８７  底面
１００，２００  壁部分
１０２，１３０，１３２，２０４  溝
１０４  係合部分
１１０，１１２，１１４，１１６，１１８，１２０，１２２，２１０，２１２，２１４，２１６，２１８，２２０，３９０，３９２  開口
１２４，２２２  通気開口
１２６，１２８  スロット
１４０  本体部分
１４２  外側リップ，周辺リップ部分
１４４，１４６，２６０，２６２，２９０，２９２  電気端子
１８７，３３７  上面
１８８，１９０，２５７，２５８，３０４，３０５，３３８，３４０  掛け金部材
２０２  外側延長部分
３１０，３６０  平板部材
【図１７】
0005322528.tif 000002
【図１８】
0005322528.tif 000003
【図１】
0005322528.tif 000004
【図２】
0005322528.tif 000005
【図３】
0005322528.tif 000006
【図４】
0005322528.tif 000007
【図５】
0005322528.tif 000008
【図６】
0005322528.tif 000009
【図７】
0005322528.tif 000010
【図８】
0005322528.tif 000011
【図９】
0005322528.tif 000012
【図１０】
0005322528.tif 000013
【図１１】
0005322528.tif 000014
【図１２】
0005322528.tif 000015
【図１３】
0005322528.tif 000016
【図１４】
0005322528.tif 000017
【図１５】
0005322528.tif 000018
【図１６】
0005322528.tif 000019